(57)【要約】【課題】エレベータを構成する様々な機器を固定するエレベータ機器取付ブラケットを、小型化して軽量化すること。このようなエレベータ機器取付ブラケットを用いたエレベータ機器組立体を提供すること。【解決手段】本発明のエレベータ機器取付ブラケットは、エレベータを構成する機器５１，５２，５３，５５を固定するためのものである。エレベータ機器取付ブラケットは、昇降路８０内で延在するガイドレール１に取り付けられ、当該ガイドレール１の両側に亘って延在するブラケット本体５，１０を備えている。このブラケット本体５，１０は、一側に制御盤（一機器）５５を保持するための一側保持部５ａ，６ａを形成するとともに、他側に機器（他機器）５１，５２，５３を保持するための他側保持部５ｂ，６ｂを形成している。【選択図】図１
2009051598.tif 000002
【特許請求の範囲】
【請求項１】
エレベータを構成する機器を固定するためのエレベータ機器取付ブラケットにおいて、
昇降路内で延在するガイドレールに取り付けられ、当該ガイドレールの両側に亘って延在するブラケット本体を備え、
このブラケット本体は、一側に形成されて一機器を保持するための一側保持部と、他側に形成されて他機器を保持するための他側保持部とを有することを特徴とするエレベータ機器取付ブラケット。
【請求項２】
前記ガイドレールを前記昇降路の壁面に固定するガイドレール用ブラケットとしても機能することを特徴とする請求項１に記載のエレベータ機器取付ブラケット。
【請求項３】
エレベータを構成する機器を固定するためのエレベータ機器取付ブラケットにおいて、
昇降路内で延在する一のガイドレールと、前記一のガイドレールとは異なる他のガイドレールとの間に亘って延在するブラケット本体を備え、
このブラケット本体は、前記一のガイドレールに連結される第一ガイドレール連結部と、前記他のガイドレールに連結される第二ガイドレール連結部とを有することを特徴とするエレベータ機器取付ブラケット。
【請求項４】
エレベータを構成する機器を固定するためのエレベータ機器取付ブラケットにおいて、
昇降路内で延在するガイドレールの上端に設けられた巻上機を配置するための巻上機取付梁に取付可能なブラケット本体を備えたことを特徴とするエレベータ機器取付ブラケット。
【請求項５】
前記エレベータに用いられる配線を固定するための配線固定部を設けたことを特徴とする請求項１、３または４のいずれかに記載のエレベータ機器取付ブラケット。
【請求項６】
前記ブラケット本体に連結され、板形状からなる板状ブラケットをさらに備え、
当該板状ブラケットの平面に、当該板状ブラケットの平面の法線方向における前記機器の幅よりも長さの長い複数の突起部が設けられ、
当該突起部間に亘って線材を延在させたことを特徴とする請求項１または３のいずれかに記載のエレベータ機器取付ブラケット。
【請求項７】
昇降路内で延在するガイドレールに取り付けられ、当該ガイドレールの両側に亘って延在し、一側に一側保持部が形成され、他側に他側保持部が形成されるエレベータ機器取付ブラケットと、
前記エレベータ機器取付ブラケットの前記一側保持部に保持された一機器と、
前記エレベータ機器取付ブラケットの前記他側保持部に保持された他機器と、を備え、たことを特徴とするエレベータ機器組立体。
【請求項８】
前記一機器の重量は、前記他機器の重量と概ね同じであることを特徴とする請求項７に記載のエレベータ機器組立体。
【請求項９】
前記一機器は、エレベータを制御する制御盤からなることを特徴とする請求項７に記載のエレベータ機器組立体。
【発明の詳細な説明】
【技術分野】
【０００１】
本発明は、エレベータを構成する様々な機器を取り付けるためのエレベータ機器取付ブラケットと、当該エレベータ機器取付ブラケットを用いたエレベータ機器組立体に関する。
【背景技術】
【０００２】
エレベータの乗りかごは、昇降路内で延在するガイドレールに沿って、昇降路を上下自在に移動する。そして、このようなガイドレールには、エレベータを構成する様々な機器を固定するためのエレベータ機器取付ブラケットが取り付けられている。
【０００３】
このようなエレベータ機器取付ブラケットは、ブラケット本体１６を備えている。そして、このブラケット本体１６は、図８に示すように、その一端が昇降路８０内で上下方向に延在するガイドレールに１連結されて、当該ガイドレール１に固定されている。また、エレベータ機器取付ブラケットのブラケット本体１６の他端には、例えば制御盤５５などのエレベータを構成する機器が連結されている。
【０００４】
このように、従来のエレベータ機器取付ブラケットのブラケット本体１６は、その一端がガイドレール１に固定されるとともに、その他端にエレベータを構成する機器（図８では制御盤５５）が連結されており、片持ち構造となっている。
【発明の開示】
【発明が解決しようとする課題】
【０００５】
従来のエレベータ機器取付ブラケットのブラケット本体１６は、上述のように、片持ち構造となっているので、当該ブラケット本体１６には機器５５に働く重力によって、大きな回動モーメントが発生している。このような大きな回動モーメントに耐えて安定して機器５５を保持するために、従来のエレベータ機器取付ブラケットは、大型になっており、ガイドレール１にエレベータ機器取付ブラケットを取り付ける際には、多大な労力が必要となっている。
【０００６】
本発明は、このような点を考慮してなされたものであり、小型化されて軽量化されたエレベータ機器取付ブラケットおよび当該エレベータ機器取付ブラケットを用いたエレベータ機器組立体を提供することを目的とする。
【課題を解決するための手段】
【０００７】
本発明の第１の態様によるエレベータ機器取付ブラケットは、エレベータを構成する機器を固定するためのエレベータ機器取付ブラケットにおいて、昇降路内で延在するガイドレールに取り付けられ、当該ガイドレールの両側に亘って延在するブラケット本体を備え、このブラケット本体は、一側に形成されて一機器を保持するための一側保持部と、他側に形成されて他機器を保持するための他側保持部とを有している。
【０００８】
このような構成により、一側に取り付けられる機器の重みと、他側に取り付けられる他機器の重みとを相殺することができ、エレベータ機器取付ブラケットに働く回動モーメントを小さくすることができる。この結果、エレベータ機器取付ブラケットを小型化し、軽量化することができる。
【０００９】
本発明の第１の態様によるエレベータ機器取付ブラケットは、前記ガイドレールを前記昇降路の壁面に固定するガイドレール用ブラケットとしても機能することが好ましい。
【００１０】
本発明の第２の態様によるエレベータ機器取付ブラケットは、エレベータを構成する機器を固定するためのエレベータ機器取付ブラケットにおいて、昇降路内で延在する一のガイドレールと、前記一のガイドレールとは異なる他のガイドレールとの間に亘って延在するブラケット本体を備え、このブラケット本体は、前記一のガイドレールに連結される第一ガイドレール連結部と、前記他のガイドレールに連結される第二ガイドレール連結部とを有している。
【００１１】
このような構成によって、昇降路内で延在する二本のガイドレール間に亘ってエレベータ機器取付ブラケットを設けることができる。このため、従来のような片持ち構造からなるエレベータ機器取付ブラケットと比較して小型化して軽量化した場合であっても、機器を安定した状態で保持することができる。
【００１２】
本発明の第３の態様によるエレベータ機器取付ブラケットは、エレベータを構成する機器を固定するためのエレベータ機器取付ブラケットにおいて、昇降路内で延在するガイドレールの上端に設けられた巻上機を配置するための巻上機取付梁に取付可能なブラケット本体を備えている。
【００１３】
このような構成によって、エレベータ機器取付ブラケットに回動モーメントが加わらない態様で、エレベータ機器取付ブラケットを巻上機取付梁に取り付けることができる。この結果、エレベータ機器取付ブラケットを小型化し、軽量化することができる。
【００１４】
本発明によるエレベータ機器取付ブラケットは、前記エレベータに用いられる配線を固定するための配線固定部を設けていることが好ましい。
【００１５】
このような構成によって、機器に接続される配線を、昇降路の側壁などを迂回させることなく直線的に導くことができ、配線を短くすることができる。また、このような配線を、昇降路の側壁などに固定するための電線金具を用いる必要もなくすことができる。
【００１６】
本発明によるエレベータ機器取付ブラケットは、前記ブラケット本体に連結され、板形状からなる板状ブラケットをさらに備え、当該板状ブラケットの平面に、当該板状ブラケットの平面の法線方向における前記機器の幅よりも長さの長い複数の突起部が設けられ、当該突起部間に亘って線材を延在させていることが好ましい。
【００１７】
このような構成によって、長周期地震動が発生した場合などにおいて、エレベータロープ、テールコードなどが板状ブラケットに保持された機器に引っかかることを防止することができる。
【００１８】
本発明によるエレベータ機器組立体は、昇降路内で延在するガイドレールに取り付けられ、当該ガイドレールの両側に亘って延在し、一側に一側保持部が形成され、他側に他側保持部が形成されるエレベータ機器取付ブラケットと、前記エレベータ機器取付ブラケットの前記一側保持部に保持された一機器と、前記エレベータ機器取付ブラケットの前記他側保持部に保持された他機器と、を備えている。
【００１９】
このような構成により、一側に取り付けられる機器の重みと、他側に取り付けられる他機器の重みとを相殺することができ、エレベータ機器取付ブラケットに働く回動モーメントを小さくすることができる。この結果、エレベータ機器取付ブラケットを小型化し、軽量化することができる。
【００２０】
本発明によるエレベータ機器組立体は、前記一機器の重量が、前記他機器の重量と概ね同じであることが好ましい。
【００２１】
このような構成により、さらに効率よく、エレベータ機器取付ブラケットに働く回動モーメントを小さくすることができる。
【００２２】
本発明によるエレベータ機器組立体は、前記一機器が、エレベータを制御する制御盤からなることが好ましい。
【００２３】
このような構成により、他機器と制御盤との間の距離を短くすることができ、他機器と制御盤とを接続する配線の長さを短くすることができる。
【発明の効果】
【００２４】
本発明によれば、エレベータ機器取付ブラケットが、ガイドレールの両側に亘って延在し、もしくは昇降路内で延在する少なくとも二本のガイドレール間に亘って取付可能、もしくは巻上機を配置するための巻上機取付梁に取付可能、な形態である。このため、エレベータ機器取付ブラケットを、小型化して軽量化することができる。また、このようなエレベータ機器取付ブラケットを用いたエレベータ機器組立体を提供することもできる。
【発明を実施するための形態】
【００２５】
第１の実施の形態
以下、本発明に係る使用済燃料キャスクの第１の実施の形態について、図面を参照して説明する。ここで、図１乃至図５は本発明の第１の実施の形態を示す図である。図１は、昇降路内に配置された、本実施の形態によるエレベータ機器取付ブラケットおよび当該エレベータ機器取付ブラケットを用いたエレベータ機器組立体を側方から見た側方図である。
【００２６】
〈エレベータ機器取付ブラケット〉
図１に示す本実施の形態のエレベータ機器取付ブラケットは、エレベータ（エレベータシステム）を構成する機器５１，５２，５３，５５を固定するためのものである。
【００２７】
図１に示すように、エレベータ機器取付ブラケットは、昇降路８０内で延在するガイドレール１に取り付けられ、当該ガイドレール１の両側に亘って延在するブラケット本体５，１０を備えている。このブラケット本体５，１０は、一側に形成されて上下方向ブラケット９ａを介して機器（一機器）５５を保持するための一側保持部５ａ，６ａと、他側に形成されて上下方向ブラケット９ｂを介して機器（他機器）５１，５２，５３を保持するための他側保持部５ｂ，６ｂとを有している。なお、図１の符号８１は、昇降路８０の天井を示している。
【００２８】
なお、本実施の形態では、図１に示すように、複数（具体的には３つ）のブラケット本体５，１０が設けられており、このうち、ブラケット本体１０は、図２に示すように、昇降路８０の側壁８２に固定された壁側ブラケット７と、壁側ブラケット７およびガイドレール１に連結され、一側に一側保持部６ａを形成するとともに、他側に他側保持部６ｂを形成するレール側ブラケット６とを有している。そして、このブラケット本体１０は、ガイドレール１を昇降路８０の壁面に固定するガイドレール用ブラケットとしても機能している。なお、図２は、図１を上方から見た上方平面図である。
【００２９】
また、図２に示すように、上方側のブラケット本体１０には、機器５１と制御盤５５とを接続する電線６１などのエレベータに用いられる配線を固定するための配線固定部３１が設けられている。なお、図示はしないが、ブラケット本体５にも、機器５２と制御盤５５とを接続する電線を固定する配線固定部が設けられ、また、下方側のブラケット本体１０にも、機器５３と制御盤５５とを接続する電線を固定する配線固定部が設けられている（図１参照）。
【００３０】
〈エレベータ機器組立体〉
図１に示すように、一側保持部５ａ，６ａに連結され上下方向に延在する上下方向ブラケット９ａには、一機器として制御盤５５が保持されている。また、他側保持部５ｂ，６ｂに連結され上下方向に延在する上下方向ブラケット９ｂには、他機器として複数の機器５１，５２，５３が保持されている。
【００３１】
より具体的には、図１に示すように、上下方向ブラケット９ｂには、機器５２を載置するための載置用ブラケット２が連結されている。また、この上下方向ブラケット９ｂには、面上で機器５３を保持するための板形状の板状ブラケット１１が連結されている。なお、機器５１は、上下方向ブラケット９ｂに直接連結されている。
【００３２】
そして、図１において、上述したブラケット本体５を備えたエレベータ機器取付ブラケットと、ブラケット本体１０を備えたエレベータ機器取付ブラケットと、ブラケット本体５，１０に連結された上下方向ブラケット９ａ，９ｂと、上下方向ブラケット９ａに連結された制御盤５５と、上下方向ブラケット９ｂに連結された機器５１，５２，５３と、機器５２を載置する載置用ブラケット２と、機器５３を面上で保持する板状ブラケット１１と、によってエレベータ機器組立体が構成されている。
【００３３】
次に、このような構成からなる本実施の形態のエレベータ機器取付ブラケットおよびエレベータ機器組立体の作用について述べる。
【００３４】
図１および図２に示すように、昇降路８０内で延在するガイドレール１に取り付けられたブラケット本体５，１０は、当該ガイドレール１の両側に亘って延在し、一側保持部５ａ，６ａには上下方向に延在する上下方向ブラケット９ａが連結され、他側保持部５ｂ，６ｂには上下方向に延在する上下方向ブラケット９ｂが連結されている。
【００３５】
そして、一側保持部５ａ，６ａに連結された上下方向ブラケット９ａによって制御盤（一機器）５５を保持することができ、他側保持部５ｂ，６ｂに連結された上下方向ブラケット９ｂによって複数の機器（他機器）５１，５２，５３を保持することができる。このため、ブラケット本体５，１０の両側で機器５１，５２，５３，５５を保持することができるので、一側に取り付けられる制御盤５５の重みと、他側に取り付けられる複数の機器５１，５２，５３の重みとを相殺することができ、ブラケット本体５，１０に働く回動モーメントを小さくすることができる。この結果、ブラケット本体５，１０を備えたエレベータ機器取付ブラケットの各々を小型化し、軽量化することができる。
【００３６】
このように、ブラケット本体５，１０に働く回動モーメントを小さくするためには、エレベータ機器組立体において、制御盤５５の重量が、複数の機器５１，５２，５３の総重量と概ね同じになっていることが好ましい。
【００３７】
また、図１に示すように、一側保持部５ａ，６ａに保持される機器（一機器）が制御盤５５からなるので、他側保持部５ｂ，６ｂに保持される各機器５１，５２，５３と制御盤５５との間の距離を短くすることができる。このため、各機器５１，５２，５３と制御盤５５とを接続する電線６１の長さを短くすることができる。
【００３８】
さらに、ブラケット本体５，１０には、機器５１，５２，５３と制御盤５５とを接続する電線６１を固定するための配線固定部３１が設けられている。このため、機器５１，５２，５３と制御盤５５とを接続する電線６１を、図２において点線で示したように、機器５１，５２，５３から昇降路８０の側壁８２を経て制御盤５５に至らせるというように、迂回させる必要はなく、図２において実線で示したように、機器５１，５２，５３と制御盤５５とを直線的に接続することができ、電線６１の長さを短くすることができる。
【００３９】
なお、配線固定部３１を用いない場合には、図２において点線で示すように、機器５１，５２，５３と制御盤５５とを接続する電線６１を、複数の電線金具６６によって昇降路８０の側壁８２に固定する必要も出てくる。このため、本実施の形態のように、配線固定部３１を用いることによって、このような電線金具６６を用いる必要がなくなる。
【００４０】
ところで、図１では、一側保持部５ａ，６ａに連結された上下方向ブラケット９ａには制御盤５５だけが連結されているが、これに限らず、制御盤５５に加えて別の機器が連結されてもよい。
【００４１】
また、上記では、ブラケット本体５，１０の一側保持部５ａ，６ａに上下方向に延在する上下方向ブラケット９ａが連結され、当該上下方向ブラケット９を介して制御盤（一機器）５５を保持するとともに、ブラケット本体５，１０の他側保持部５ｂ，６ｂに上下方向に延在する上下方向ブラケット９ｂが連結され、当該上下方向ブラケット９ｂを介して複数の機器（他機器）５１，５２，５３を保持する態様を用いて説明したが、これに限られるものではない。
【００４２】
例えば、図３に示すように、ブラケット本体３の一側保持部６ａに機器（一機器）５１を直接連結させるとともに、ブラケット本体３の他側保持部６ｂに板形状からなる板状ブラケット１１を連結し、当該板状ブラケット１１の面上に機器（他機器）５３を保持させてもよい。
【００４３】
この図３においては、ブラケット本体３を備えたエレベータ機器取付ブラケットと、一端保持部６ａに連結された機器５１と、他端保持部６ｂに連結された板状ブラケット１１と、当該板状ブラケット１１の面上に保持された機器５３と、によってエレベータ機器組立体が構成されている。
【００４４】
なお、図３では、エレベータ機器取り付けブラケットのブラケット本体３は、昇降路８０の側壁８２（図２参照）に固定された壁側ブラケット７と、壁側ブラケット７およびガイドレール１に連結され、一側に一側保持部６ａを形成するとともに、他側に他側保持部６ｂを形成するレール側ブラケット６とを有している。このため、当該エレベータ機器取り付けブラケットは、ガイドレール１を昇降路８０の壁面に固定するガイドレール用ブラケットとしても機能している。
【００４５】
しかしながら、エレベータ機器取付ブラケットは、このようにガイドレール用ブラケットとしての機能を有している必要はない。例えば、図４に示すように、昇降路８０の側壁８２に固定された壁側ブラケット７のようなものを有さず、ガイドレール１に保持され、一側に一側保持部４ａを形成するとともに、他側に他側保持部４ｂを形成しているブラケット本体４を備えたエレベータ機器取付ブラケットを用いることもできる。
【００４６】
なお、図４に示すように、ブラケット本体４の一端保持部４ａには機器（一機器）５１が連結され、他端保持部４ｂの上方には機器（他機器）５２が載置されている。そして、ブラケット本体４を備えたエレベータ機器取付ブラケットと、一端保持部４ａに連結された機器５１と、他端保持部４ｂの上方に載置された機器５２と、によってエレベータ機器組立体が構成されている。
【００４７】
ところで、図３および図４において、エレベータ機器取付ブラケットによって保持されている機器（一機器および他機器）５１，５２，５３は制御盤５５ではない。このように制御盤５５がエレベータ機器取付ブラケットによって保持されていない場合には、制御盤５５の配置位置は特に限定されない。すなわち、制御盤５５は、昇降路８０上の機械室に設置されてもよく、昇降路８０内に設置されてもよい。また、制御盤５５が昇降路８０内に設置される場合には、この制御盤５５は、人々の乗り降りの多い基準階に設置されてもよいし、それ以外の階（例えば、基準階よりも下の階など）に設置されてもよい。
【００４８】
変形例
次に、図５により、本発明の第１の実施の形態の変形例について説明する。図５に示す第１の実施の形態の変形例は、板形状の板状ブラケット１１の表面に、機器（他機器）５３の水平方向の幅よりも長さの長い複数の突起部４１が設けられ、当該突起部４１間に亘って線材４３を延在させたものであり、その他の構成は第１の実施の形態の図３に示したエレベータ機器取付ブラケットと略同一である。
【００４９】
図５に示すように、板状ブラケット１１の表面には、機器５３の水平方向（板状ブラケット１１の平面の法線方向）の幅よりも長さの長い複数（具体的には４本）の突起部４１が設けられている。そして、これら突起部４１間に亘って線材４３が延在されている。このように、機器５３を線材４３で覆うことによって、長周期地震動が発生した場合などにおいて、エレベータロープ、テールコードなどが機器５３に引っかかることを防止することができる。
【００５０】
なお、上述したようなブラケット本体３を備えたエレベータ機器取付ブラケットは、昇降路８０の中間位置に配置される場合に、エレベータロープ、テールコードなどが機器５３に引っかかることを、より効率よく防止することができる。
【００５１】
第２の実施の形態
次に、図６により、本発明の第２の実施の形態について説明する。図６に示す第２の実施の形態によるエレベータ機器取付ブラケットは、昇降路８０内で延在する錘側ガイドレール（一のガイドレール）１ａと、錘側ガイドレール１ａとは異なる乗りかご側ガイドレール（他のガイドレール）１ｂとの間に亘って延在するブラケット本体８を備えている。そして、このブラケット本体８は、錘側ガイドレール１ａに連結される第一ガイドレール連結部８ａと、乗りかご側ガイドレール１ｂに連結される第二ガイドレール連結部８ｂとを有している。
【００５２】
図６に示す第２の実施の形態において、図１乃至図５に示す第１の実施の形態と同一部分には同一符号を付して詳細な説明は省略する。なお、図６は、本実施の形態によるエレベータ機器取付ブラケットを上方から見た上方平面図を示している。
【００５３】
本実施の形態では、図６に示すように、ブラケット本体８の第一ガイドレール連結部８ａは、ブラケット本体８の一端に形成されている。また、ブラケット本体８の第二ガイドレール連結部８ｂは、ブラケット本体８の他端に形成されている。なお、乗りかご側ガイドレール１ｂとは、昇降路８０内で乗りかごを案内するガイドレールであり、錘側ガイドレール１ａとは、昇降路８０内で乗りかごに連結された錘を案内するガイドレールである。
【００５４】
また、図６に示すように、エレベータ機器取付ブラケットのブラケット本体８は、昇降路８０内で延在する二本のガイドレール１ａ，１ｂ間に亘って設けられており、このブラケット本体８に機器５２，５３が保持されている。このため、従来のような片持ち構造からなるブラケット本体１６と比較して（図８参照）、より安定した状態で機器５２，５３を保持することができる。
【００５５】
すなわち、本実施の形態によれば、昇降路８０内で延在する二本のガイドレール１ａ，１ｂ間に亘ってブラケット本体８が設けられているので、従来のような片持ちで機器５５を保持するエレベータ機器取付ブラケットのブラケット本体１６と比較して（図８参照）、小型で重さの軽いブラケット本体８であっても、安定した状態で機器５２，５３を取り付けることができる。
【００５６】
なお、図６に示すブラケット本体８に、機器５２，５３に接続される電線を固定するための配線固定部を設けてもよい（図２参照）。このように、配線固定部を設けることによって、機器５２，５３に接続される電線を、昇降路８０の側壁８２を介して迂回させることなく、かつ、昇降路８０の側壁８２に電線金具を用いて固定することなく、機器５２，５３に直線的に導くことができる。
【００５７】
第３の実施の形態
次に、図７により、本発明の第３の実施の形態について説明する。図７に示す第３の実施の形態によるエレベータ機器取付ブラケットは、昇降路８０内で延在するガイドレール１の上端に設けられた巻上機５８を配置するための巻上機取付梁７１に取付可能なブラケット本体１５を備えている。
【００５８】
図７に示す第３の実施の形態において、図１乃至図５に示す第１の実施の形態と同一部分には同一符号を付して詳細な説明は省略する。なお、図７は、本実施の形態によるエレベータ機器取付ブラケットを側方から見た側方図を示している。
【００５９】
図７に示すように、一般に、昇降路８０内で延在するガイドレール１の上端には巻上機取付梁７１が設置されている。そして、この巻上機取付梁７１上には、取付鋼材７２を介して、巻上機５８が配置されている。
【００６０】
また、ブラケット本体１５は、図７に示すように、水平方向に延在する巻上機取付梁７１に、ぶら下がるようにして取り付けられる。このように、ブラケット本体１５は、水平方向に延在する巻上機取付梁７１にぶら下がって取り付けられているので、ブラケット本体１５には、当該ブラケット本体１５が保持する機器（巻上用機器）５７の重力によって回動モーメントが加わることはない。
【００６１】
つまり、図８に示すような従来のエレベータ機器取付ブラケットのブラケット本体１６では、上下方向に延在するガイドレール１に一端が固定され、他端には機器（制御盤）５５が連結されているので、当該ブラケット本体１６には機器５５に加わる重力によって回動モーメントが加わる。これに対して、本実施の形態のように、ブラケット本体１５が水平方向に延在する巻上機取付梁７１にぶら下がっている場合には、当該ブラケット本体１５に回動モーメントが加わることがない。
【００６２】
このため、ブラケット本体１５を小型化することができ、その重量を軽量化することができる。
【００６３】
また、上述のように、ブラケット本体１５を巻上機５８の近傍に取り付けることによって、例えば、巻上機５８の動きを制御する制御部や巻上機５８の駆動を遠隔操作するための遠隔操作部などの巻上機用機器５７を巻上機５８近傍に配置することができ、巻上機５８とこれら巻上機用機器５７との距離を短くすることができる。この結果、巻上機５８と巻上機用機器５７とを接続する電線などの配線の長さを短くすることができる。
【００６４】
なお、ブラケット本体１５に、巻上機用機器５７と巻上機５８とを接続する電線を固定するための配線固定部を設けてもよい（図２参照）。このように、配線固定部を設けることによって、巻上機５８に接続される電線を、迂回させることなく、巻上機用機器５７から巻上機５８へと直線的に導くことができる。
【００６５】
ところで、上記では、ブラケット本体１５に保持される機器の例として、巻上機５８に用いられる巻上機用機器５７を用いて説明したが、これに限られるものではない。
【図面の簡単な説明】
【００６６】
【図１】本発明の第１の実施の形態によるエレベータ機器取付ブラケットおよび当該エレベータ機器取付ブラケットを用いたエレベータ機器組立体を側方から見た側方図。
【図２】図１を上方から見た上方平面図。
【図３】本発明の第１の実施の形態の別の例によるエレベータ機器取付ブラケットおよび当該エレベータ機器取付ブラケットを用いたエレベータ機器組立体を側方から見た側方図。
【図４】本発明の第１の実施の形態のさらに別の例によるエレベータ機器取付ブラケットおよび当該エレベータ機器取付ブラケットを用いたエレベータ機器組立体を側方から見た側方図。
【図５】本発明の第１の実施の形態の変形例によるエレベータ機器取付ブラケットの一部を拡大した斜視図。
【図６】本発明の第２の実施の形態によるエレベータ機器取付ブラケットを上方から見た上方平面図。
【図７】本発明の第３の実施の形態によるエレベータ機器取付ブラケットを側方から見た側方図。
【図８】従来のエレベータ機器取付ブラケットを側方から見た側方図。
【符号の説明】
【００６７】
１      ガイドレール
１ａ    錘側ガイドレール（一のガイドレール）
１ｂ    乗りかご側ガイドレール（他のガイドレール）
３，４，５，１０  ブラケット本体
４ａ，５ａ，６ａ  一側保持部
４ｂ，５ｂ，６ｂ  他側保持部
６      レール側ブラケット
７      壁側ブラケット
８ａ    第一ガイドレール連結部
８ｂ    第二ガイドレール連結部
９ａ，９ｂ  上下方向ブラケット
１１    板状ブラケット
３１    配線固定部
４１    突起部
４３    線材
５１，５２，５３  機器（他機器）
５５    制御盤（一機器）
５８    巻上機
６１    電線（配線）
７１    巻上機取付梁
８０    昇降路
８１    昇降路の天井
８２    昇降路の側壁
【図１】
2009051598.tif 000003
【図２】
2009051598.tif 000004
【図３】
2009051598.tif 000005
【図４】
2009051598.tif 000006
【図５】
2009051598.tif 000007
【図６】
2009051598.tif 000008
【図７】
2009051598.tif 000009
【図８】
2009051598.tif 000010